(57)【要約】骨内歯科インプラントは、少なくとも部分的に外面にネジ山をつけられたボディ部分と、開口を有する内部キャビティ及び軸と、ネジ山付きの部分と、２部分連結チャンバとを有する。該開口は、インプラントの上部表面及び内部キャビティ又は軸における、キャビティ又は軸に対するものである。該連結チャンバは、ネジ山付き部分に対して隣接し、第１の部分において複数のローブを有する表面を、第２の部分において複数のローブ、スロット、又は溝を有する。
2008504069.tif 000002
【特許請求の範囲】
【請求項１】
骨内歯科インプラントであって、
上部表面と、ネジ山をつけられた外部表面の少なくとも一部分とを有する、ボディ部分と、
（ａ）２つの部分を有する連結チャンバと、（ｂ）前記連結チャンバに対して隣接する内部ネジ山付き部分とを有する、内部軸又はキャビティと、
を有し、
前記２つの部分のうち第１の部分は、前記インプラントの前記上部表面における又は前記上部表面の近くの平面から遠位方向に延在する複数のローブを有し、前記ローブは、前記インプラントの内部側壁へと第１の最大半径方向距離を突出し、第２の部分は、前記第１の部分の遠位端から遠位方向に延在し、前記第２の部分は、前記第１の最大半径方向距離と同程度に前記インプラントの前記内部側壁へと最大半径方向距離を延在し、円形、矩形、あるいは三角形の断面形状を有する突起を有し、
前記内部軸又はキャビティは、前記インプラントの前記上部表面における開口において開始し、前記ボディ部分内部で終了する、
骨内歯科インプラント。
【請求項２】
前記ボディ部分は、実質的にその全長にわたって外面的にネジ山をつけられる、
請求項１記載の骨内歯科インプラント。
【請求項３】
前記ボディ部分の前記外部表面は、部分的にネジ山をつけられ、前記歯科インプラントの上方において又は上方の近くではネジ山をつけられない、
請求項１又は２記載の骨内歯科インプラント。
【請求項４】
前記内部軸又はキャビティは、前記歯科インプラントの前記上部表面における前記開口から前記ボディ部分へと下方向に延在する、
請求項１又は２記載の骨内歯科インプラント。
【請求項５】
前記開口の周囲に部分的に又は全体的に形成される非円形の面取り又はベベルを更に有する、
請求項１記載の骨内歯科インプラント。
【請求項６】
前記インプラントの前記上部表面と３つのローブを有する表面の接合部において形成される非円形の面取り又はベベルを更に有する、
請求項１記載の骨内歯科インプラント。
【請求項７】
前記連結チャンバは、前記第１の部分において同等に間隔をあけられた３つのローブを有し、前記第２の部分において前記第１の前記ローブより小さい最大直径を有する３つのローブ、スロット又は溝を有する、
請求項１記載の骨内歯科インプラント。
【請求項８】
請求項１記載の骨内歯科インプラントを有する使用に対する２ピース橋脚歯であって、
第１の部分においては、前記連結チャンバの前記第１の部分において前記ローブと係合し得る突起と、第２の部分においては、前記連結チャンバの前記第２の部分において前記ローブ、台、又は溝と係合し得る突起とを有する２部分連結チャンバを有する、
２ピース橋脚歯。
【発明の詳細な説明】
【技術分野】
【０００１】
本発明は、少なくとも部分的に外面的にネジ山をつけられたボディ部分、及び、複数の実施例においてはネジ山をつけられていない外面の上部を有する骨内歯科インプラントに係る。これらのインプラントはまた、内部キャビティ又は軸を有し、該キャビティ又は軸は、インプラントの上部表面においてキャビティ又は軸に対する開口を有する。この内部キャビティ又は軸は、インプラントの上部表面において又はその下方において、内部キャビティ又は軸において始まるレンチ係合チャンバ（ｗｒｅｎｃｈ−ｅｎｇａｇｉｎｇ  ｃｈａｍｂｅｒ）と、レンチ係合チャンバから下方に延在するネジ山をつけられたチャンバとを有し、ボディ部分内部の内部キャビティ又は軸において終端する。インプラントの内部キャビティのネジ山つき部分は、レンチ係合表面より断面積においてより小さい。ボディ部分は、円筒形、円錐形、又はテイパされた形であり得、また、ボディ部分上に外部のセルフタッピンのネジ山（ｓｅｌｆ−ｔａｐｐｉｎｇ  ｔｈｒｅａｄｓ）を有し得る。
【発明の開示】
【課題を解決するための手段】
【０００２】
レンチ係合チャンバは、２つの別個の部分、即ち、内部キャビティ又はシャフトにおいて形成される、２つの別個のレンチ係合表面を有する。第１の部分は、インプラントの上部表面又はその近くにける平面から遠位方向に延在し、橋脚歯（ａｂｕｔｍｅｎｔ）の内部側壁から第１の最大半径距離を突出する、円形の外部形状を有する。かかる内部側壁は、３つのローブを有し得、表面は、患者の顎骨において形成される開口又はボアへのインプラントの挿入に対して相補挿入ツールを受け且つ係合するよう適合される。第２の部分は、第１の部分の１つ又はそれ以上のローブから遠位方向に延在する。かかる突起は、円形、矩形、又は四角形の側面を有し得、また望ましくは各々は、橋脚歯の内部側壁から第２の最大半径距離を突出する。第２の最大半径距離は、第１の最大半径距離より小さい。かかる突起はまた、相補挿入ツールを受け且つ係合するよう適合される。
【０００３】
インプラントの内部キャビティ又は軸に対する開口は、望ましくは開口の周囲全てを面取り又はベベルされ得る。面取り又はベベルされた部分は、複数の実施例においては、橋脚歯、開口へと挿入されるアダプタ、又は他のコネクタを受け且つ係合するよう十分な寸法及び形状を有する。内部キャビティ又は軸に対する開口が面取り／ベベルされる際、相補アダプタ、コネクタ、又は橋脚歯は、複数の実施例においては、インプラントと橋脚歯、アダプタ又はコネクタとの間に潤滑である容易に洗浄可能な余白部を形成し得る。
【０００４】
歯科インプラントの内部キャビティ又は軸は、望ましい実施例において、橋脚歯、アダプタ又は他のコネクタに対して、特には２部橋脚歯、アダプタ又は他のコネクタに対して、寸法及び形状において相補的である。橋脚歯は、ヒーリングキャップ又はインプレッションポスト等の歯科用構成部品、又は、一時的なもしくは更に恒久的な橋脚歯であり得る。望ましい実施例では、かかる橋脚歯は、内部レンチ係合表面の一方又は両方と係合し、また、橋脚歯の中心を介して延在する内側ボアを有し得、この内側ボアにおいて形成されるフランジ又は台座を有する。かかるフランジ又は台座は、橋脚歯の内側ボアへと適合し且つそれを介してネジ山つきスクリュを支持し、インプラントの内部ネジ山との係合に対して内側ボアを越えて延在する。望ましい実施例では、これらのインプラントは、約８ｍｍ乃至約２０ｍｍの範囲における長さ、及び、約３ｍｍ乃至約７ｍｍの範囲における外径を有する。内部キャビティ又は軸は、約３ｍｍ乃至約７ｍｍの範囲における長さ、及び、約１．５ｍｍ乃至約３．５ｍｍの範囲における断面（又は複数の断面）を有する。
【発明を実施するための最良の形態】
【０００５】
本発明の望ましい一実施例に関し、添付の図面と共に以下の詳細の説明からよりよく理解され得る。図中、同様の参照符号は、同様の部分を示す。
【０００６】
図１は、骨内歯科インプラント１０を示す、インプラント１０は、インプラント１０の外部表面の長さの半分を超える長さにわたる外部ネジ山１１と、上方のネジ山をつけられていない外部ボディ部分１２とを有する。共に、外部ボディ部分１１及び１２は、インプラント１０の外部ボディ部分の全体を有する。上部表面２３は、インプラント１０の上部にある。内部キャビティ又は軸２２は、上部表面２３の下方且つインプラント１０の内部にある。インプラント１０の上部表面２３における開口１３は、内部キャビティ又は軸２２に対して内側方向且つ下方向に通る。キャビティ２２は、インプラント１０内にパッセージ２２において終端するネジ山付き部分２０を有する（図２参照）。
【０００７】
連結チャンバ２６における３つのローブを有する表面（ｔｒｉ−ｌｏｂｅｄ  ｓｕｒｆａｃｅｓ）１７，１８，及び１９は、インプラント１０の内側にあり、上方表面２３において始まり且つその下方で延在する。この３つのローブを有する表面は、頂端部１４，１５，及び１６がある範囲内より、及び／又は内部のネジ山付き部分２０によって占められる範囲より、寸法において実質的に大きい範囲内にある円形の表面を有する。
【０００８】
連結チャンバ２６はまた、ローブ１７，１８，及び１９の遠位端から遠位方向に延在する突起１４，１５及び１６を有する。ローブ１７，１８，及び１９、並びに円形、Ｖ字型、又は矩形の突起１４，１５，及び１６は、軸２２の内側壁へと第１及び第２の最大半径距離を突出する。３つのローブの第１の最大半径距離は、突起の第２の最大半径距離より広い。第２の最大半径距離は、全て実質的に同一である。３つのローブを有する表面１７，１８，及び１９、並びに突起１４，１５，及び１６は、橋脚歯を受け且つ係合するよう適合される（図４Ｃ及び図５参照）。第１のより広い３つのローブを有する表面は、表面を係合する挿入ツールとして称され得る。第２のより狭い突起１４，１５及び１６は、橋脚歯係合又はアダプタ係合の表面として称され得る。
【０００９】
インプラント１０の外部表面上の外部ネジ山１１は、米国特許第５，５９１，０２９号明細書中に記載される通り、例えば二重又は三重の送りネジ山（ｄｏｕｂｌｅ  ｏｒ  ｔｒｉｐｌｅ  ｌｅａｄ  ｔｈｒｅａｄ）である複数の送りネジ山であり得、カラム（ｃｏｌｕｍｎｓ）１４及び１５、あるいは、単一及び複数の送りネジ山の組み合わせ、又は四重及び二重の送りネジ山の組み合わせであり得る。１９９９年１０月２日発行、米国特許第４，９６０，３８１号明細書「Screw-Type  Dental  Implant  Anchor」中の文章及び図面はまた、本願中に完全に説明されるものであるように参照として組み込まれる。
【００１０】
図４Ｂ及び図４Ｃは、上方斜視図におけるインプラント１０を示す。図４Ａ及び図４Ｂは、インプラント１０を有する使用に対する挿入ツール３０の夫々側面図及び上面斜視図である。ツール３０は、円筒形の上方ボディ部分２５、及びその近位端において六角形又は四角形の保持範囲を有する。ローブ３０は、その遠位端において、インプラント１０のローブ型開口１７及び１８へと合致するローブ３１，３２を有する。ツール３０の突起３３Ａ及び３３Ｂを有する遠位円筒形部分３３は、ローブ３１の下方で延在し、追加的な強度及び安定性をツール３０に対して与える。使用時には、ツール３０は、夫々ローブ型空間１８及び１７におかれるローブ３１及び３２、並びに、連結チャンバ２６の第２の部分のスロット／溝／ローブにおける突起３３Ａ及び３３Ｂを有して、開口１３へと挿入される。レンチ、ラチェット、及び他のツールは、ツール３０上の四角形又は六角形の領域３４を係合し、インプラント１０を患者の顎骨における所定の位置へとねじ込む、あるいは回し込む。
【００１１】
図４Ｃ及び図５は、インプラント１０を有する使用に対する橋脚歯４０の側面斜視図及び側面図である。橋脚歯４０は、上部表面において、開口４２と、円錐形及びフルスト円錐形（ｆｒｕｓｔｏ−ｃｏｎｉｃａｌ）の部分４１とを有する。部分４１に対して遠位方向には、外側方向にテイパする部分４４、エッジ４３、及び内側方向且つ下方向にテイパする区分４５及び４９がある。区分４５及び４９の下方には表面５４がある。ローブ４６，４７及び５０は表面５４から遠位方向に突出し、各々が橋脚歯４０の外側表面５３から第１の最大半径延伸部（ｅｘｔｅｎｓｉｏｎ）を有する。円形の形状のローブ５１及び５２は、表面５５と隣接し且つそこから遠位方向に延在する。ローブ５１は、インプラント１０内で開口５５等の開口へと合致する（図４参照）。
【００１２】
橋脚歯４０は、内側同軸方向に延在するパッセージ５２を有し、該パッセージを介してスクリュが挿入され且つインプラント１０内で内側ネジ山２１における適所へとねじ込まれ得、インプラント１０の上の適所において橋脚歯部４０を保持するようにする。
【００１３】
２段階連結チャンバの１つの有利点は、望ましい実施例において、挿入ツールが下方で第２の部分を係合することなくより広いローブを有する第１の部分へと合致し得る、ことである。これによって歯科専門家は、連結チャンバの第２の部分におけるより狭いローブ／溝／スロットに対する最低限の損傷リスクを有して、患者の顎骨において形成される開口又はボアに適切且つ正確にインプラントを運び且つ挿入することができ、従って、第２の段階のローブ／溝／スロットは、対応する突起を有して橋脚歯に対して最大限の回転安定性を確実に与えるようにする。
【００１４】
複数ローブ表面の他の利点は、歯科専門家が、橋脚歯、アダプタ又はコネクタをこの表面へと挿入する際に、完全な配置を確実に行うよう優れた触感を有する、ことである。更には、複数ローブの橋脚歯接続の接合円形表面は、咀嚼中の回転力及び傾倒力（ｔｉｐｐｉｎｇ  ｆｏｒｃｅ）に耐えるよう適切な材料の厚さを与える。
【００１５】
内部軸に対する開口の全周囲又は部分的な周囲の非円形ベベルの一利点は、橋脚歯の中心揃えを助けることであり、故に複数ローブ表面の最初の位置合わせを促進する。他の利点は、橋脚歯上に接合ベベル表面の係合を与えることであり、インプラントにおいて完全に配置され且つ固定スクリュによって適所に保持される際に、橋脚歯の回転運動を防止する。
【００１６】
２部分連結チャンバの一利点は、２つの別個のレンチ係合表面が、橋脚歯に対してより大きな回転安定性を与え、また、患者の顎へとインプラントを入れる間の挿入ツールからのインプラント変形に対するより大きな抵抗を与える、ことである。連結チャンバの第２の部分は、各々が連結チャンバの第１の部分におけるローブの基部において開始し、内部ネジ山付き領域まで下に延在する円形のローブ、矩形スロット等のスロット、又はＶ字型の溝を有するか否かにかかわらず、インプラントへと挿入される橋脚歯の安定性、及び、連結チャンバへと置かれるインプラント挿入ツールの安定性を強化する。
【００１７】
米国特許第６，７３３，２９１号明細書において開示されるインプラントと比較すると、本発明のインプラント、及び本発明のインプラントに対して使用される橋脚歯は、より長くより強い連結チャンバ、より強い橋脚歯、及びより強い橋脚歯／インプラントの接続を与える。連結チャンバの第２の部分の突起の低減された断面は、連結チャンバの３つのローブの第１の部分の断面と比較して、テイパされたインプラントボディの実施例の直径の狭窄に適応する。
【図面の簡単な説明】
【００１８】
【図１】骨内歯科インプラントの望ましい一実施例の上面斜視図である。
【図２】図１中のインプラントの断面斜視図である。
【図３】図１中のインプラントの他の断面斜視図である。
【図４Ａ】図１のインプラントを有する使用に対する挿入ツールの側面図である。
【図４Ｂ】図１中の歯科インプラントを有して図示される図４Ａの挿入ツールの斜視図である。
【図４Ｃ】図１中の歯科インプラントを有して図示される図５中の橋脚歯の斜視図である。
【図５】図４Ｃ中の橋脚歯の側面図である。
【図１】
2008504069.tif 000003
【図２】
2008504069.tif 000004
【図３】
2008504069.tif 000005
【図４Ａ】
2008504069.tif 000006
【図４Ｂ】
2008504069.tif 000007
【図４Ｃ】
2008504069.tif 000008
【図５】
2008504069.tif 000009
【国際調査報告】
2008504069.tif 000010